(57)【要約】【課題】嵩比重や強度等が高くて均質な品質の圧縮成形物を安定して得ることができるロールコンパクタを提供することである。【解決手段】粉体を圧縮成形する一対の回転ロール３ａ、３ｂを、回転軸６に回転胴７を外嵌して、回転胴７の外周面に金属製フィルタ８を設け、金属製フィルタ８の内周側に開口する空気通路９ａを設けたものとして、回転駆動される各回転ロール３ａ、３ｂの外周面から、金属製フィルタ８を介して空気通路９ａ、９ｂ、９ｃへ空気を真空ポンプで吸引し、真に圧縮成形される時点にあるロールバイト中の粉体を脱気することにより、嵩比重や強度等が高くて均質な品質の圧縮成形物を安定して得ることができるようにした。【選択図】図２
2005238266.tif 000002
【特許請求の範囲】
【請求項１】
粉体を一対の回転ロールの間に送り込んで圧縮成形するロールコンパクタにおいて、前記一対の回転ロールの少なくとも一方を、外周面に金属製フィルタを設け、この金属製フィルタの内周側に開口する空気通路を設けたものとして、その外周面からこの空気通路へ前記金属製フィルタを介して空気を吸引し、前記回転ロール間で圧縮成形される粉体を脱気するようにしたことを特徴とするロールコンパクタ。
【請求項２】
前記少なくとも一方の回転ロールが、回転軸に回転胴を外嵌して、この回転胴の外周面を前記金属製フィルタで覆ったものとし、前記金属製フィルタの内周側に開口する空気通路を前記回転胴に放射状に形成し、これらの放射状に形成した空気通路が連通する空気通路を前記回転軸の軸方向に形成し、この軸方向に形成した空気通路を回転軸の軸端に開口させて、この回転軸の軸端の開口から空気を吸引するようにした請求項１に記載のロールコンパクタ。
【請求項３】
前記金属製フィルタを、外周側の金属製多孔板と内周側の金網の積層体とで形成した請求項１または２に記載のロールコンパクタ。
【発明の詳細な説明】
【技術分野】
【０００１】
本発明は、粉体を一対の回転ロールの間に送り込んで圧縮成形するロールコンパクタに関する。
【背景技術】
【０００２】
ホッパに供給される粉体をスクリュフィーダ等で一対の回転ロール間に送り込んで圧縮成形するロールコンパクタでは、圧縮成形される粉体に空気が混じり込むと、圧縮成形物の嵩比重が低下して圧縮成形物の強度や固さが不足する品質不良が生じる。また、空気の混入自体が圧縮成形物の品質不良となることもある。
【０００３】
このような圧縮成形物の品質不良をなくすために、スクリュフィーダが収納されるホッパ底の外筒の内側に、多孔質材料からなる通気板を裏張りした筒状の脱気筒を設け、脱気筒と外筒間の環状部に真空ポンプを接続したロール圧縮機（ロールコンパクタ）がある（例えば、特許文献１参照。）。
【０００４】
【特許文献１】実開平４−２６６９７号公報（第３−７頁、第１−３図）
【発明の開示】
【発明が解決しようとする課題】
【０００５】
特許文献１に記載されたロールコンパクタは、スクリュフィーダが収納された外筒から真空ポンプで空気を吸引することにより、圧縮成形される粉体に混じり込む空気をある程度低減することができる。しかしながら、スクリュフィーダが収納された外筒から、粉体が圧縮成形される回転ロールのロールバイト（噛み込みゾーン）までの間には距離があり、この間に粉体が充填されているので、真に圧縮成形される時点にあるロールバイト中の粉体の脱気が不十分となる問題がある。
【０００６】
また、スクリュフィーダが収納された外筒は、通常、回転ロールの胴長方向中央部に配設され、ロールバイトは回転ロールの胴長方向に細長く形成されるので、外筒からの距離が長い胴長方向端部のロールバイト中の粉体は、胴長方向中央部のロールバイト中の粉体よりも脱気が不十分となって、回転ロールの胴長方向で圧縮成形物の嵩比重や強度等の品質にばらつきを生じる問題もある。
【０００７】
そこで、本発明の課題は、嵩比重や強度等が高くて均質な品質の圧縮成形物を安定して得ることができるロールコンパクタを提供することである。
【課題を解決するための手段】
【０００８】
上記の課題を解決するために、本発明は、粉体を一対の回転ロールの間に送り込んで圧縮成形するロールコンパクタにおいて、前記一対の回転ロールの少なくとも一方を、外周面に金属製フィルタを設け、この金属製フィルタの内周側に開口する空気通路を設けたものとして、その外周面からこの空気通路へ前記金属製フィルタを介して空気を吸引し、前記回転ロール間で圧縮成形される粉体を脱気する構成を採用した。
【０００９】
すなわち、一対の回転ロールの少なくとも一方を、外周面に金属製フィルタを設け、この金属製フィルタの内周側に開口する空気通路を設けたものとして、その外周面から内部の空気通路へ金属製フィルタを介して空気を吸引し、真に圧縮成形される時点にあるロールバイト中の粉体を脱気することにより、嵩比重や強度等が高くて均質な品質の圧縮成形物を安定して得ることができるようにした。
【００１０】
前記少なくとも一方の回転ロールが、回転軸に回転胴を外嵌して、この回転胴の外周面を前記金属製フィルタで覆ったものとし、前記金属製フィルタの内周側に開口する空気通路を前記回転胴に放射状に形成し、これらの放射状に形成した空気通路が連通する空気通路を前記回転軸の軸方向に形成し、この軸方向に形成した空気通路を回転軸の軸端に開口させて、この回転軸の軸端の開口から空気を吸引することにより、回転ロールの回転に伴って連続的に圧縮成形される粉体を、効率よく脱気することができる。
【００１１】
前記金属製フィルタは、外周側の金属製多孔板と内周側の金網の積層体とで形成したものとすることができる。
【発明の効果】
【００１２】
本発明のロールコンパクタは、一対の回転ロールの少なくとも一方を、外周面に金属製フィルタを設け、この金属製フィルタの内周側に開口する空気通路を設けたものとして、その外周面から内部の空気通路へ金属製フィルタを介して空気を吸引し、真に圧縮成形される時点にあるロールバイト中の粉体を脱気するようにしたので、嵩比重や強度等が高くて均質な品質の圧縮成形物を安定して得ることができる。
【００１３】
前記少なくとも一方の回転ロールを、回転軸に回転胴を外嵌して、この回転胴の外周面を金属製フィルタで覆ったものとし、金属製フィルタの内周側に開口する空気通路を回転胴に放射状に形成し、これらの放射状に形成した空気通路が連通する空気通路を回転軸の軸方向に形成し、この軸方向に形成した空気通路を回転軸の軸端に開口させて、この回転軸の軸端の開口から空気を吸引することにより、回転ロールの回転に伴って連続的に圧縮成形される粉体を、効率よく脱気することができる。
【発明を実施するための最良の形態】
【００１４】
以下、図面に基づき、本発明の実施形態を説明する。このロールコンパクタは、図１および図２に示すように、粉体が供給されるホッパ１の底部にスクリュフィーダ２を設け、その下方に設けた水平な一対の回転ロール３ａ、３ｂの間に粉体を送り込んで圧縮成形するものである。各回転ロール３ａ、３ｂは軸受４で支持され、一方の回転ロール３ａはモータ（図示省略）で直接回転駆動され、他方の回転ロール３ｂは歯車５を介して回転駆動され、押圧装置で押圧されるようになっている。
【００１５】
前記各回転ロール３ａ、３ｂは、回転軸６に回転胴７を外嵌し、回転胴７の外周面を金属製フィルタ８で覆ったものであり、回転胴７は金属製フィルタ８に加わる押圧力を支え、その変形等を防止する。回転胴７には、放射状に延びて金属製フィルタ８の内周側に開口する空気通路９ａが胴長方向の２箇所で設けられ、回転軸６には軸方向に延びて軸端に開口する空気通路９ｃと、この空気通路９ｃから放射状に延びて回転胴７の各空気通路９ａに連通する空気通路９ｂが設けられている。各空気通路９ｃの軸端の開口には、ロータリジョイント１０を介して接続管１１が接続され、接続管１１の接続口１１ａには真空ポンプ（図示省略）に接続されている。したがって、回転駆動される回転ロール３ａ、３ｂのロールバイトで圧縮成形される粉体に混じり込む空気は、金属製フィルタ８を介して各空気通路９ａ、９ｂ、９ｃから、接続管１１に接続された真空ポンプに吸引される。
【００１６】
前記各回転軸６の金属製フィルタ８は、図３に拡大して示すように、外周側の金属製多孔板８ａと内周側の金網積層体８ｂとで形成され、これらが焼結によって一体とされている。この実施形態では、金属製多孔板８ａの孔径は１０ｍｍとされ、金網積層体８ｂは、最外周の金網が２０メッシュ、最内周の金網が８メッシュ、中間部の金網が４０〜１００メッシュとされている。最外周の金網のメッシュを最内周の金網よりも粗くし、中間部の金網のメッシュをさらに粗くしたのは、金網積層体８ｂ内周側の各空気通路９ａの開口に生じる空気吸引力を、回転胴７の胴長方向と周方向に満遍なく行き渡らせるためである。
【実施例】
【００１７】
上述したロールコンパクタを用いて、プラスチック用充填材として用いられる微粉タルクを圧縮成形した。供給した微粉タルクは、平均粒度が５〜８μｍ、嵩比重が約０．１のものである。
【００１８】
上記圧縮成形された板状のタルク成形品を、回転ロールの胴長方向各位置で回収し、これらのタルク成形品の嵩比重と固さを調べた。この結果、回転ロール胴長方向の回収位置に関わらず、いずれのタルク成形品も嵩比重は約０．６であり、その固さも一様で、いわゆるダマと称される塊も見受けられなかった。
【００１９】
また、上記圧縮成形されたタルク成形品をプラスチック用の樹脂材料と混練した。通常、タルク成形品が十分に脱気されていないと混練物の流動性が極端に低下するが、上記タルク成形品は嵩比重が高く十分に脱気されており、かつ、ダマもないので良好なプラスチック製品を得ることができた。
【００２０】
上述した実施形態では、一対の回転ロールの両方を、外周面に金属製フィルタを設け、金属製フィルタの内周側に開口する空気通路を設けたものとしたが、いずれか一方のみをこのような回転ロールとしてもよい。また、金属製フィルタは、実施形態のものに限定されることはなく、多孔性焼結金属や焼結金網で形成したものや、これらと金属製多孔板を組み合わせたもの等を用いることができる。さらに、金属製フィルタの内周側に開口する空気通路も実施形態のものに限定されることはなく、任意に設計することができる。
【図面の簡単な説明】
【００２１】
【図１】ロールコンパクタの実施形態を示す切欠き正面図
【図２】図１のII−II線に沿った断面図
【図３】図１の回転ロールの拡大断面図
【符号の説明】
【００２２】
１  ホッパ
２  スクリュフィーダ
３ａ、３ｂ  回転ロール
４  軸受
５  歯車
６  回転軸
７  回転胴
８  金属製フィルタ
８ａ  金属製多孔板
８ｂ  金網積層体
９ａ、９ｂ、９ｃ  空気通路
１０  ロータリジョイント
１１  接続管
１１ａ  接続口
【図１】
2005238266.tif 000003
【図２】
2005238266.tif 000004
【図３】
2005238266.tif 000005